(57)【特許請求の範囲】
【請求項１】
式（Ｉ）の化合物：
【化１】
0006410236.tif 000014
（式中、
Ｒ１は、−ＣＨ２ＣＨ３または−ＣＨ２ＣＨ２ＣＨ３を表し、
Ｒ２は、−Ｈまたは−ＣＨ３を表し、
Ｒ３は、−Ｈまたは−ＯＣＨ３を表す）の、香味香気材料としての使用。
【請求項２】
式（Ｉｂ）〜（Ｉｇ）の少なくとも１種の化合物：
【化２】
0006410236.tif 000015
（式中、Ｒ１、Ｒ２、Ｒ３、Ｒ４およびＲ５は請求項１と同義である）が使用される、請求項１に記載の使用。
【請求項３】
式（Ｉ）の少なくとも１種の化合物：
【化３】
0006410236.tif 000016
（式中、
Ｒ１は、−ＣＨ２ＣＨ３または−ＣＨ２ＣＨ２ＣＨ３を表し、
Ｒ２は、−Ｈまたは−ＣＨ３を表し、
Ｒ３は、−Ｈまたは−ＯＣＨ３を表す）を含む香味香気配合物。
【請求項４】
式（Ｉ）の少なくとも１種の化合物を、前記香味香気配合物の総重量に対し０．０００１〜１０ｗｔ％含む、請求項３に記載の香味香気配合物。
【請求項５】
固体、ゲル様または液体である、請求項３または４に記載の香味香気配合物。
【請求項６】
香水、空気清浄化用製品、家庭用製品、洗濯用製品、ボディケア用製品または香粧品である、請求項３〜５のいずれか一項に記載の香味香気配合物。
【請求項７】
式（Ｉ）の化合物が、式（ＩＩＩ）の化合物：
【化４】
0006410236.tif 000017
である、請求項３〜６のいずれか一項に記載の香味香気配合物。
【請求項８】
香味香気配合物を改善、増強または修正する方法であって、式（Ｉ）の少なくとも１種の化合物：
【化５】
0006410236.tif 000018
（式中、
Ｒ１は、−ＣＨ２ＣＨ３または−ＣＨ２ＣＨ２ＣＨ３を表し、
Ｒ２は、−Ｈまたは−ＣＨ３を表し、
Ｒ３は、−Ｈまたは−ＯＣＨ３を表す）を嗅覚的に許容される量でそこに添加することによる、方法。
【請求項９】
式（ＩＩＩ）の化合物：
【化６】
0006410236.tif 000019
【発明の詳細な説明】
【発明の詳細な説明】
【０００１】
本発明は、特定の有機化合物の香味香気材料としての使用に関する。さらに本発明は、新規な特定の有機化合物およびこの特定の有機化合物の少なくとも１種を含む香味香気配合物に関する。
【０００２】
香味香気産業においては、香り立ちを増強、修正、改善するかまたはそれ以外の形で香り立ちに好ましい影響を与える化合物、したがって、香味香気材料を含有する香水、コロン、パーソナルケア製品、家庭用製品または他の任意の製品に付香するための新しい香りを調香師等が創生できるようにする化合物が絶えず求められ続けている。
【０００３】
驚くべきことに、式（Ｉ）の化合物および／または式（ＩＩ）の化合物が香味香気材料として非常に有用であることが見出された。
【０００４】
したがって本発明は、式（Ｉ）の化合物および／または式（ＩＩ）の化合物：
【化１】
0006410236.tif 000002
（式中、
Ｒ１は、−ＣＨ３、−ＣＨ２ＣＨ３または−ＣＨ２ＣＨ２ＣＨ３を表し、
Ｒ２は、−Ｈまたは−ＣＨ３を表し、
Ｒ３は、−Ｈまたは−ＯＣＨ３を表し、
Ｒ４は、−ＣＨ２ＣＨ３または−ＣＨ２ＣＨ２ＣＨ３を表し、
Ｒ５は、−Ｈまたは−ＣＨ３を表す）の香味香気材料としての使用に関する。
【０００５】
式（Ｉａ）〜（Ｉｇ）の化合物および式（ＩＩａ）〜（ＩＩｄ）の化合物：
【化２】
0006410236.tif 000003
【化３】
0006410236.tif 000004
（式中、Ｒ１、Ｒ２、Ｒ３、Ｒ４およびＲ５は上記と同義である）からなる群から選択される少なくとも１種の化合物ならびに式（Ｉａ）〜（Ｉｇ）の化合物および式（ＩＩａ）〜（ＩＩｄ）の化合物の任意の混合物を香味香気材料として使用することが好ましい。
【０００６】
式（ＩＩＩ）〜（Ｘ）の化合物：
【化４】
0006410236.tif 000005
【化５】
0006410236.tif 000006
からなる群から選択される少なくとも１種の化合物およびこれらの任意の混合物を使用することがより好ましい。
【０００７】
式（Ｉ）の化合物および／または式（ＩＩ）の化合物は、そのままで使用することもできるし、あるいは他の式（Ｉ）の化合物および／もしくは式（ＩＩ）の化合物とまたは香味香気材料として知られている他の化合物と組み合わせて使用することもできる。
【０００８】
香味香気材料として知られているこの種の他の化合物としては、現時点において入手可能な幅広い種類の天然産物および合成分子から選択されるあらゆる周知の匂い分子（精油、アルコール、アルデヒドおよびケトン、エーテルおよびアセタール、エステルおよびラクトン、大環状化合物および複素環式化合物）ならびに／または従来香味香気配合物中に匂い物質と一緒に使用されている１種以上の成分もしくは賦形剤（例えば、担体材料）および当該技術分野において一般に使用されている他の補佐剤と混合したものが挙げられる。
【０００９】
本発明の香味香気材料は、香味香気配合物に使用される。
【００１０】
このような香味香気配合物は、他の成分を含む。
【００１１】
本発明による香味香気配合物は任意の形態とすることができる。通常は、固体、ゲル様または液体（またはこれらの組合せ）形態とすることができる。これはまた、カプセル化形態（すなわち、液体配合物を好適なマトリクス材料でカプセル化したもの）とすることもできる。
【００１２】
したがって、本発明はまた、式（Ｉ）の少なくとも１種の化合物および／または式（ＩＩ）の少なくとも１種の化合物：
【化６】
0006410236.tif 000007
（式中、
Ｒ１は、−ＣＨ３、−ＣＨ２ＣＨ３または−ＣＨ２ＣＨ２ＣＨ３を表し、
Ｒ２は、−Ｈまたは−ＣＨ３を表し、
Ｒ３は、−Ｈまたは−ＯＣＨ３を表し、
Ｒ４は、−ＣＨ２ＣＨ３または−ＣＨ２ＣＨ２ＣＨ３を表し、
Ｒ５は、−Ｈまたは−ＣＨを表す）を含む香味香気配合物にも関する。
【００１３】
式（Ｉａ）〜（Ｉｇ）の化合物および式（ＩＩａ）〜（ＩＩｄ）の化合物：
【化７】
0006410236.tif 000008
【化８】
0006410236.tif 000009
【化９】
0006410236.tif 000010
（式中、Ｒ１、Ｒ２、Ｒ３、Ｒ４およびＲ５は上記と同義である）からなる群から選択される少なくとも１種の化合物ならびに式（Ｉａ）〜（Ｉｇ）および（ＩＩａ）〜（ＩＩｄ）の化合物の任意の混合物を含む香味香気配合物が好ましい。
【００１４】
式（ＩＩＩ）〜（Ｘ）の化合物：
【化１０】
0006410236.tif 000011
【化１１】
0006410236.tif 000012
からなる群から選択される少なくとも１種の化合物およびこれらの任意の混合物を含む香味香気配合物がより好ましい。
【００１５】
式（Ｉ）の化合物および／または式（ＩＩ）の化合物が香味香気配合物中に使用される場合、その量は、香味香気配合物の総重量に対し０．０００１〜１０重量％（ｗｔ％）の範囲にある。香味香気配合物の総重量を基準として０．０１〜５ｗｔ％の範囲の量が好ましい。
【００１６】
したがって本発明は、液体香味香気配合物であって、
（ｉ）式（Ｉ）の少なくとも１種の化合物および／または式（ＩＩ）の少なくとも１種の化合物を香味香気配合物の総重量に対し０．０００１〜１０ｗｔ％（好ましくは０．０１〜５ｗｔ％）含む、液体香味香気配合物に関する。
【００１７】
したがって本発明は、好ましい液体香味香気配合物であって、
（ｉ）式（Ｉａ）〜（Ｉｇ）および（ＩＩａ）〜（ＩＩｄ）の化合物からなる群から選択される式を有する少なくとも１種の化合物を、香味香気配合物の総重量に対し０．０００１〜１０ｗｔ％（好ましくは０．０１〜５ｗｔ％）含む、液体香味香気配合物に関する。
【００１８】
したがって本発明は、より好ましい液体香味香気配合物であって、
（ｉ）式（ＩＩＩ）〜（Ｘ）の化合物からなる群から選択される式を有する少なくとも１種の化合物を、香味香気配合物の総重量に対し０．０００１〜１０ｗｔ％（好ましくは０．０１〜５ｗｔ％）を含む、液体香味香気配合物に関する。
【００１９】
本発明による香味香気配合物は、さらなる任意の付香化合物の溶剤、補佐剤（ａｄｊｕｖａｎｔ）、増粘剤、界面活性剤、顔料、体質顔料、レオロジー調整剤、染料、酸化防止剤、フィラー等のさらなる成分（＝助剤化合物）を含むことができる。
【００２０】
多くの香味香気配合物は液体形態（香水やコロン等）にある。したがって、この種の液体配合物には（希釈）溶媒が存在する。この種の一般的な希釈剤は、すなわちジプロピレングリコール、ミリスチン酸イソプロピル、クエン酸トリエチルおよびアルコール（エタノール等）である。
【００２１】
高級香水類のさらなる例は、オードパルファム、オードトワレ、オーデコロンおよびスプラッシュコロン（Ｓｐｌａｓｈ  Ｃｏｌｏｇｎｅ）である。高級香水製品は、一般に、希釈剤であるアルコール性溶液をベースとしている。しかしながら、オイルまたはワックスを希釈剤として使用している高級香水製品も本発明の趣旨の範囲内に包含される。化合物は、具体的な用途ならびに他の匂い成分の性質および量に応じて幅広い範囲の量で用いることができる。
【００２２】
（高級）香水に使用する場合、量は、通常、（高級）香水の総重量を基準として０．０１〜１０ｗｔ％である。
【００２３】
しかしながら、これらの値および範囲は例示のみを目的とするものである。それは、熟練の調香師はこれよりも低いまたは高い濃度で効果を達成することも、新たなアコードを生み出すこともできるためである。
【００２４】
さらに本発明は、液体香味香気配合物であって、
（ｉ）式（Ｉ）の少なくとも１種の化合物および／または式（ＩＩ）の少なくとも１種の化合物と、
（ｉｉ）ジプロピレングリコール、ミリスチン酸イソプロピル、クエン酸トリエチルおよびアルコール（エタノール等）からなる群から選択される少なくとも１種の希釈剤と、場合により、
（ｉｉｉ）付香化合物の溶剤、補佐剤、増粘剤、界面活性剤、顔料、体質顔料、レオロジー調整剤、染料、酸化防止剤およびフィラーからなる群から選択される少なくとも１種の助剤化合物と
を含む液体香味香気配合物に関する。
【００２５】
さらに本発明は、好ましい液体香味香気配合物であって、
（ｉ）式（Ｉａ）〜（Ｉｇ）および（ＩＩａ）〜（ＩＩｄ）の化合物からなる群から選択される式を有する少なくとも１種の化合物と、
（ｉｉ）ジプロピレングリコール、ミリスチン酸イソプロピル、クエン酸トリエチルおよびアルコール（エタノール等）からなる群から選択される少なくとも１種の希釈剤と、
場合により、
（ｉｉｉ）付香化合物の溶剤、補佐剤、増粘剤、界面活性剤、顔料、体質顔料、レオロジー調整剤、染料、酸化防止剤およびフィラーからなる群から選択される少なくとも１種の助剤化合物と
を含む液体香味香気配合物に関する。
【００２６】
さらに本発明は、より好ましい液体香味香気配合物であって、
（ｉ）式（ＩＩＩ）〜（Ｘ）の化合物からなる群から選択される式を有する少なくとも１種の化合物と、
（ｉｉ）ジプロピレングリコール、ミリスチン酸イソプロピル、クエン酸トリエチルおよびアルコール（エタノール等）からなる群から選択される少なくとも１種の希釈剤と、
場合により、
（ｉｉｉ）付香化合物の溶剤、補佐剤、増粘剤、界面活性剤、顔料、体質顔料、レオロジー調整剤、染料、酸化防止剤およびフィラーからなる群から選択される少なくとも１種の助剤化合物と
を含む液体香味香気配合物に関する。
【００２７】
さらに本発明は、固体香味香気配合物であって、
（ｉ）式（Ｉ）の少なくとも１種の化合物および／または式（ＩＩ）の少なくとも１種の化合物と、
（ｉｉ）付香化合物の溶剤、補佐剤、増粘剤、界面活性剤、顔料、体質顔料、レオロジー調整剤、染料、酸化防止剤およびフィラーからなる群から選択される少なくとも１種の助剤化合物と
を含む固体香味香気配合物に関する。
【００２８】
さらに本発明は、好ましい固体香味香気配合物であって、
（ｉ）式（Ｉａ）〜（Ｉｇ）および（ＩＩａ）〜（ＩＩｄ）の化合物からなる群から選択される式を有する少なくとも１種の化合物と、
（ｉｉ）付香化合物の溶剤、補佐剤、増粘剤、界面活性剤、顔料、体質顔料、レオロジー調整剤、染料、酸化防止剤およびフィラーからなる群から選択される少なくとも１種の助剤化合物と
を含む固体香味香気配合物に関する。
【００２９】
さらに本発明は、より好ましい固体香味香気配合物であって、
（ｉ）式（ＩＩＩ）〜（Ｘ）の化合物からなる群から選択される式を有する少なくとも１種の化合物と、
（ｉｉ）付香化合物の溶剤、補佐剤、増粘剤、界面活性剤、顔料、体質顔料、レオロジー調整剤、染料、酸化防止剤およびフィラーからなる群から選択される少なくとも１種の助剤化合物と
を含む、固体香味香気配合物に関する。
【００３０】
式（Ｉ）の化合物および式（ＩＩ）の化合物は、幅広い範囲の香味香気配合物、例えば、高級香水類および実用的な香水類のあらゆる分野（香水、空気清浄化用製品（ａｉｒ  ｃａｒｅ  ｐｒｏｄｕｃｔ）、家庭用製品、洗濯用製品、ボディケア用製品、香粧品等）に使用することができる。
【００３１】
本明細書に上述した化合物は、式（Ｉ）の少なくとも１種の化合物および／または式（ＩＩ）の少なくとも１種の化合物、これらの混合物または最終製品に使用される他の成分を含む香気組成物に単純に直接混合することによって香味香気配合物に用いることもできるし、あるいはそれよりも前の段階で、捕捉材料（例えば、ポリマー、カプセル、マイクロカプセルおよびナノカプセル、リポソーム、皮膜形成剤、吸収材（炭素やゼオライト等）、環状オリゴ糖ならびにこれらの混合物）で捕捉しておくこともできるし、あるいは光や酵素等の外部刺激を与えることにより香気分子を放出させるように適合された基材に化学的に結合させた後、最終製品に用いられる他の成分と混合することもできる。
【００３２】
したがって、さらに本発明は、香味香気配合物の製造方法であって、香気成分としての式（Ｉ）の少なくとも１種の化合物および／または式（ＩＩ）の少なくとも１種の化合物を、最終製品に使用される他の成分に当該化合物を直接混合することによるか、または式（Ｉ）の少なくとも１種の化合物および／または式（ＩＩ）の少なくとも１種の化合物を含む香気組成物を混合する（次いでこれは、最終製品に使用される他の成分と従来の技術および方法を用いて混合することができる）ことによるかのいずれかによって混ぜ込むことを含む、方法を提供する。
【００３３】
したがって本発明は、香味香気配合物の好ましい製造方法であって、香気成分としての式（Ｉａ）〜（Ｉｇ）および（ＩＩａ）〜（ＩＩｄ）の化合物からなる群から選択される式を有する少なくとも１種の化合物を、当該化合物を最終製品に使用される他の成分に直接混合することによるかまたは式（Ｉａ）〜（Ｉｇ）および（ＩＩａ）〜（ＩＩｄ）の化合物からなる群から選択される式を有する少なくとも１種の化合物を含む香気組成物を混合する（次いでこれは、最終製品に使用される他の成分と従来の技術および方法を用いて混合することができる）ことによるかのいずれかによって混ぜ込むことを含む、方法をさらに提供する。
【００３４】
したがって本発明は、香味香気配合物のより好ましい製造方法であって、香気成分としての式（ＩＩＩ）〜（Ｘ）の化合物からなる群から選択される式を有する少なくとも１種の化合物を、当該化合物を最終製品に使用される他の成分に直接混合することによるかまたは式（ＩＩＩ）〜（Ｘ）の化合物からなる群から選択される式を有する少なくとも１種の化合物を含む香気組成物を混合する（次いでこれは、最終製品に使用される他の成分と従来の技術および方法を用いて混合することができる）ことによるかのいずれかによって混ぜ込むことを含む、方法をさらに提供する。
【００３５】
上述した本発明の化合物またはその混合物を嗅覚的に許容される量で添加することにより、消費者製品の基材の香り立ちが改善、増強または修正されるであろう。
【００３６】
したがって、さらに本発明は、消費者製品（＝最終製品）の基材を改善、増強または修正するための方法であって、式（Ｉ）の少なくとも１種の化合物および／または式（ＩＩ）の少なくとも１種の化合物を嗅覚的に許容される量でそこに添加することによる、方法を提供する。
【００３７】
したがって本発明は、消費者製品（＝最終製品）の基材を改善、増強または修正するための好ましい方法であって、式（Ｉａ）〜（Ｉｇ）および（ＩＩａ）〜（ＩＩｄ）の化合物からなる群から選択される式を有する少なくとも１種の化合物を嗅覚的に許容される量でそこに添加することによる、方法をさらに提供する。
【００３８】
したがって本発明は、消費者製品（＝最終製品）の基材を改善、増強または修正するためのより好ましい方法であって、式（ＩＩＩ）〜（Ｘ）の化合物からなる群から選択される式を有する少なくとも１種の化合物を嗅覚的に許容される量でそこに添加することによる、方法をさらに提供する。
【００３９】
本発明との関連における嗅覚的に有効な量とは、香味香気配合物中における式（Ｉ）の少なくとも１種の化合物および／または式（ＩＩ）の少なくとも１種の化合物が、その香味香気配合物の特定の嗅覚的特徴（ｏｌｆａｃｔｏｒｙ  ｃｈａｒａｃｔｅｒｉｓｔｉｃｓ）に寄与するであろう量と理解すべきである。但し、香味香気配合物の嗅覚的効果は各香水または香気成分の効果の総和となるであろう。したがって、本発明の化合物は、香味香気配合物の香気特性を変更するために使用することができ、あるいは、組成物中の他の成分が寄与する嗅覚反応を修正することによる。その量は、他の成分、その相対的な量および所望の効果を含む多くの要素に応じて変化するであろう。
【００４０】
本明細書において用いられる「消費者製品（＝最終製品）」とは、清浄化、柔軟化、手入れ等の特定の機能を果たすために消費者製品として使用される組成物を意味する。この種の製品の例としては、高級香水類（例えば、香水およびオードトワレ）；衣類手入れ剤、家庭用製品、パーソナルケア製品（衣類ケア洗浄剤、リンスコンディショナー、身体清浄化用組成物（ｐｅｒｓｏｎａｌ  ｃｌｅａｎｓｉｎｇ  ｃｏｍｐｏｓｉｔｉｏｎ）、食洗機用洗剤、表面洗浄剤等）；洗濯用製品（例えば、柔軟剤、漂白剤、洗剤）；ボディケア製品（例えば、シャンプー、シャワージェル）；空気清浄化用製品および香粧品（例えば、消臭剤、バニシングクリーム）が挙げられる。この製品の一覧は例示を目的とするものであって、何らかの限定を意図するものと見なすべきではない。
【００４１】
式（Ｉ）の化合物および式（ＩＩ）の化合物は有機合成の当業者に周知の方法を用いて調製することができる。
【００４２】
さらに本発明は、新規な化合物であって、６−メチル−５−ノネン−２−オンをメトキシル化することにより調製することができる、次に示す式（ＩＩＩ）の化合物：
【化１２】
0006410236.tif 000013
に関する。
【００４３】
ここで本発明を次に示す非限定的な実施例により説明する。
【００４４】
［実施例］
全ての化合物の香りの強さを１から１０までの尺度（１＝非常に弱い；１０＝非常に強い）を用いて４人のパネルに評価させた。さらに、この４人には化合物の香りについても記述させた。１人に３、６、８、２４、４８、７２および９６時間後の持続性を評価させた。このような評価は、単体の液体化合物のそれぞれの原液に紙片を浸して行った。
【００４５】
［実施例１：式ＩＩＩの化合物の製造および香気官能特性］
［ａ）６−メチル−５−ノネン−２−オンのメトキシル化による６−メトキシ−６−メチル−ノナン−２−オン（式ＩＩＩの化合物）の製造］
６−メチル−５−ノネン−２−オンを６４０４．０ｇ、メタノールを１０４００．０ｇおよびアンバーリスト（Ａｍｂｅｒｌｙｓｔ）１５  ｗｅｔを２０５０．０ｇを反応器内で混合し、８０℃に加熱する。１５時間後、反応混合物を冷却し、蒸留することにより減量する。次いで残留物を蒸留（２ｍｂａｒ、１４５℃）することにより６−メトキシ−６−メチル−ノナン−２−オンを得る。
【００４６】
［ｂ）香気官能特性］
香りの記述：木；木材処理剤；空のタバコパイプ
強さ：７．５
持続性：８〜２４時間
【００４７】
［実施例２：式ＩＶの化合物の香気官能特性］
香りの記述：良い、強過ぎない；穏やか；樟脳；デュリックス（Ｄｕｌｉｘ）；ほのかに甘い；フレッシュ；メントール；ペパーミント
強さ：７
持続性：３〜６時間
【００４８】
［実施例３：式Ｖの化合物の香気官能特性］
香りの記述：フルーティ；スイカ；花；リーキ／ネギ属植物（ｆｉｅｌｄ  ｇａｒｌｉｃ）；ハーブの種子
強さ：７．５
持続性：３〜６時間
【００４９】
［実施例４：式ＶＩの化合物の香気官能特性］
香りの記述：弱いエーテル臭；ウッディ；モミの葉；フレッシュ；ハーブ；メントール
強さ：５
持続性：３〜６時間
【００５０】
［実施例５：式ＶＩＩの化合物の香気官能特性］
香りの記述：６−メチル−５−ヘプテン−２−オンに似ているが、よりフレッシュ；トロピカルフルーツ；温かみのある木の香り（ｗａｒｍ  ｗｏｏｄ）；ミント（微か）
強さ：７．５
持続性：０〜３時間
【００５１】
［実施例６：式ＶＩＩＩの化合物の香気官能特性］
香りの記述：リンゴ；グラニースミス
強さ：６．５
持続性：３〜６時間
【００５２】
［実施例７：式ＩＸの化合物の香気官能特性］
香りの記述：新品の衣服；甘い；温かい；ハーブ；トロピカルフルーツ
強さ：７
持続性：３〜６時間
【００５３】
［実施例８：式Ｘの化合物の香気官能特性］
香りの記述：ケトン様；甘い；不潔な
強さ：６．５
持続性：３〜６時間